【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
ロール紙から繰り出されている長尺状の記録紙を、印刷ヘッドを経由する紙搬送路に沿って搬送しながら印刷を行うロール紙プリンタの印刷制御方法において、
一区切りの印刷データを受信して、この一区切りの印刷データを印刷する印刷ジョブの終了まで記憶保持するデータ記憶保持工程と、
前記印刷ジョブを行うデータ印刷工程と、
前記印刷ジョブの途中で、前記印刷ヘッドよりも前記紙搬送路の搬送方向の上流側に前記記録紙が無い紙無し状態が発生しているか否かを監視する紙無し監視工程と、
前記紙無し状態が発生した場合には、第１処理内容および第２処理内容のいずれが選択されているかを確認する処理確認工程と、前記第１処理内容および前記第２処理内容のうちの選択されている処理内容を行う内容処理工程とを含み、
前記第１処理内容は、前記印刷ジョブを中断する第１印刷ジョブ中断工程と、前記紙無し状態が解消された後に前記印刷ジョブを再開するジョブ再開工程とを含んでおり、
前記第２処理内容は、前記印刷ジョブを中断する第２印刷ジョブ中断工程と、前記紙無し状態が解消された後に前記印刷ジョブを初めから行うジョブ開始工程とを含んでいることを特徴とするロール紙プリンタの印刷制御方法。
【請求項２】
請求項１に記載のロール紙プリンタの印刷制御方法おいて、
前記データ記憶保持工程の前に、前記第１処理内容または前記第２処理内容を選択しておく処理内容選択工程を含むことを特徴とするロール紙プリンタの印刷制御方法。
【請求項３】
請求項２に記載のロール紙プリンタの印刷制御方法おいて、
前記第１印刷ジョブ中断工程は、前記記録紙の終端部分に所定の余白を残して前記印刷ジョブを中断し、
前記第１印刷ジョブ中断工程の後に、前記所定の余白に所定の第１メッセージを印刷する第１メッセージ印刷工程を含むことを特徴とするロール紙プリンタの印刷制御方法。
【請求項４】
請求項１ないし３のうちのいずれかの項に記載されているロール紙プリンタの印刷制御方法において、
前記紙無し状態が解消された後における前記ジョブ再開工程の前に、所定の第２メッセージを印刷する第２メッセージ印刷工程を含むことを特徴とするロール紙プリンタの印刷制御方法。
【請求項５】
ロール紙から繰り出されている長尺状の記録紙を、印刷ヘッドを経由する紙搬送路に沿って搬送しながら印刷を行うロール紙プリンタの印刷制御方法において、
一区切りの印刷データを受信して、この一区切りの印刷データを印刷する印刷ジョブの終了まで記憶保持するデータ記憶保持工程と、
前記印刷ジョブを行うデータ印刷工程と、
前記印刷ジョブの途中で、前記印刷ヘッドよりも前記紙搬送路の搬送方向の上流側に前記記録紙が無い紙無し状態が発生しているか否かを監視する紙無し監視工程と、
前記紙無し状態が発生した場合には、前記記録紙の終端部分に所定の余白を残して前記印刷ジョブを中断する第１印刷ジョブ中断工程と、
前記所定の余白に所定の第１メッセージを印刷する第１メッセージ印刷工程と、
前記紙無し状態が解消された後に前記印刷ジョブを再開するジョブ再開工程を含んでいることを特徴とするロール紙プリンタの印刷制御方法。
【請求項６】
請求項５に記載されているロール紙プリンタの印刷制御方法において、
前記紙無し状態が解消された後における前記ジョブ再開工程の前に、所定の第２メッセージを印刷する第２メッセージ印刷工程を含むことを特徴とするロール紙プリンタの印刷制御方法。
【請求項７】
ロール紙から繰り出されている長尺状の記録紙を、印刷ヘッドを経由する紙搬送路に沿って搬送しながら印刷を行うロール紙プリンタの印刷制御方法において、
一区切りの印刷データを受信して、この一区切りの印刷データを印刷する印刷ジョブの終了まで記憶保持するデータ記憶保持工程と、
前記印刷ジョブを行うデータ印刷工程と、
前記印刷ジョブの途中で、前記印刷ヘッドよりも前記紙搬送路の搬送方向の上流側に前記記録紙が無い紙無し状態が発生しているか否かを監視する紙無し監視工程と、
前記紙無し状態が発生した場合には、前記印刷ジョブを中断する印刷ジョブ中断工程と、
前記紙無し状態が解消された後において、所定のメッセージを印刷するメッセージ印刷工程と、
前記印刷ジョブを再開するジョブ再開工程を含んでいることを特徴とするロール紙プリンタの印刷制御方法。
【請求項８】
ロール紙から繰り出されている長尺状の記録紙を、印刷ヘッドを経由する紙搬送路に沿って搬送しながら印刷を行うロール紙プリンタにおいて、
一区切りの印刷データを受信して、この一区切りの印刷データを印刷する印刷ジョブの終了まで記憶保持するデータ記憶保持手段と、
前記印刷ジョブを行うデータ印刷手段と、
前記印刷ジョブの途中で、前記印刷ヘッドよりも前記紙搬送路の搬送方向の上流側に前記記録紙が無い紙無し状態が発生しているか否かを検出する紙無し検出手段と、
前記紙無し状態が発生した場合に行う処理として第１処理内容または第２処理内容を設定しておく処理内容設定手段と、
前記紙無し状態が発生した場合には、前記第１処理内容および前記第２処理内容のいずれが設定されているかを確認する処理確認手段と、
前記第１処理内容が設定されているときに、前記印刷ジョブを中断する第１印刷ジョブ中断手段と、
前記第１処理内容が設定されているときに、前記紙無し状態が解消された後に前記印刷ジョブを再開するジョブ再開手段と、
前記第２処理内容が設定されているときに、前記印刷ジョブを中断する第２印刷ジョブ中断手段と、
前記第２処理内容が設定されているときに、前記紙無し状態が解消された後に前記印刷ジョブを初めから行うジョブ開始手段とを有していることを特徴とするロール紙プリンタ。
【請求項９】
ロール紙から繰り出されている長尺状の記録紙を、印刷ヘッドを経由する紙搬送路に沿って搬送しながら印刷を行うロール紙プリンタにおいて、
一区切りの印刷データを受信して、この一区切りの印刷データを印刷する印刷ジョブの終了まで記憶保持するデータ記憶保持手段と、
前記印刷ジョブを行うデータ印刷手段と、
前記印刷ジョブの途中で、前記印刷ヘッドよりも前記紙搬送路の搬送方向の上流側に前記記録紙が無い紙無し状態が発生しているか否かを検出する紙無し検出手段と、
前記紙無し状態が発生した場合には、前記記録紙の終端部分に所定の余白を残して前記印刷ジョブを中断する第１印刷ジョブ停止手段と、
前記所定の余白に所定の第１メッセージを印刷する第１メッセージ印刷手段と、
前記紙無し状態が解消された後に前記印刷ジョブを再開するジョブ再開手段とを有していることを特徴とするロール紙プリンタ。
【請求項１０】
ロール紙から繰り出されている長尺状の記録紙を、印刷ヘッドを経由する紙搬送路に沿って搬送しながら印刷を行うロール紙プリンタにおいて、
一区切りの印刷データを受信して、この一区切りの印刷データを印刷する印刷ジョブの終了まで記憶保持するデータ記憶保持手段と、
前記印刷ジョブを行うデータ印刷手段と、
前記印刷ジョブの途中で、前記印刷ヘッドよりも前記紙搬送路の搬送方向の上流側に前記記録紙が無い紙無し状態が発生しているか否かを検出する紙無し検出手段と、
前記紙無し状態が発生した場合には、前記印刷ジョブを中断する印刷ジョブ中断手段と、
前記紙無し状態が解消されると新たな記録紙の先頭に所定のメッセージを印刷するメッセージ印刷手段と、
所定のメッセージが印刷された後に、前記印刷ジョブを再開するジョブ再開手段を有していることを特徴とするロール紙プリンタ。